(57)【特許請求の範囲】
【請求項１】
末端部が挿入される開口、及びこの開口の内部に配置した係止爪を有するヘッド部、このヘッド部の一端部側から帯状に延び、前記係止爪に噛み合い自在な鋸刃状の係止溝を一方の面に形成したバンド部、及び、このバンド部の末端部側に形成したテール部を有し、前記一方の面を内側にして複数の被結束体を前記バンド部で囲い、前記テール部を先頭に前記バンド部を前記開口に挿入することで、複数の被結束体を結束する結束バンドであって、
前記バンド部と結束される複数の前記被結束体との間に配置され、前記ヘッド部から前記バンド部の延出方向に向けて突出した被結束体保護用の帯板状の舌片を備え、
前記バンド部は、前記舌片と所定の間隙を設けるための段差を基端部側の前記一方の面に形成し、
前記舌片は、先端縁に向けて板厚を漸次低減した漸減部を先端部側に有し、
複数の前記被結束体を結束した状態では、前記舌片が延在した領域とそれ以外の領域での段差を低減できる、結束バンド。
【請求項２】
合成樹脂で一体成形される請求項１記載の結束バンド。
【請求項３】
前記被結束体は、芯線を被覆した電気ケーブルを含んでいる、請求項１又は２記載の結束バンド。
【発明の詳細な説明】
【技術分野】
【０００１】
本発明は、結束バンドに関する。特に、複数の電気ケーブルなどの被結束体を結束した結束バンドを切断するときに、被結束体を損傷することなく保護する結束バンドの構造に関する。
【背景技術】
【０００２】
変電所又は発電所などでは、複数の電気ケーブルを束ねて配線するために、結束バンドを使用している。図４は、従来技術の一例による結束バンドの構成を示す縦断面図である。図５は、従来技術の一例による結束バンドの構成を示す平面図である。
【０００３】
又、図６は、従来技術の一例による結束バンドの使用状態を示す斜視図である。図７は、従来技術の一例による結束バンドで複数の電気ケーブルを束ねた状態を示す横断面図である。
【０００４】
図４又は図５を参照すると、従来技術による結束バンド２は、合成樹脂などで一体形成されている。結束バンド２は、四角錐台状のヘッド部２ｈ、帯状のバンド部２ｂ、及びテール部２ｔで構成している。バンド部２ｂは、ヘッド部２ｈの一端部側から帯状に延びている。テール部２ｔは、バンド部２ｂの末端側に形成している。
【０００５】
図４又は図５を参照すると、バンド部２ｂは、鋸刃状の係止溝２１ｂを一方の面に形成している。一方、ヘッド部２ｈは、矩形の開口２１ｈと係止爪２１ｎを有している。開口２１ｈには、テール部２ｔを先頭にバンド部２ｂを挿通できる。係止爪２１ｎは、開口２１ｈの内部に突出している。そして、係止爪２１ｎは、開口２１ｈに挿入されたバンド部２ｂの係止溝２１ｂに噛み合うことができる。
【０００６】
図６又は図７を参照して、複数の電気ケーブルＣを束ねて、これらの電気ケーブルＣの周囲を係止溝２１ｂが内側になるように、バンド部２ｂで囲む。次に、テール部２ｔを先頭にバンド部２ｂをヘッド部２ｈに挿入して、バンド部２ｂのループが縮径するように、ヘッド部２ｈに対してテール部２ｔを引っ張ることで、複数の電気ケーブルＣを結束できる。次に、図７に示すように、ヘッド部２ｈから飛び出した余長部分をニッパなどの切断具で切断することで、一連の結束作業を終了する。
【０００７】
図４から図７を参照して、バンド部２ｂをヘッド部２ｈに挿入すると、係止溝２１ｂが係止爪２１ｎに噛み合って戻り止めされる。一般に、結束バンド２は、再結束することが困難に構成されている。したがって、配線に変更がある場合には、バンド部２ｂをニッパなどの切断具で切断し、複数の電気ケーブルＣの結束を解除している。
【０００８】
しかし、図７を参照して、複数の電気ケーブルＣを結束した結束バンド２をニッパなどの切断具で切断すると、電気ケーブルＣの被膜を損傷する心配がある。そして、この電気ケーブルＣの損傷が地絡の要因になる心配がある。
【０００９】
このような不具合を解消するため、結束バンドのバンド部を挿通自在な挿通孔を有し、電気ケーブルを結束状態で電気ケーブルの外面と結束バンドとの間に、切断工具を介在自在な離間空間を形成した台形体状のスペーサを備え、このスペーサは、電気ケーブルの外面に当接する台座と、台座から立設され挿通孔を穿設した一対の突片からなるセーフティブロック付き結束バンドが開示されている（例えば、特許文献１参照）。
【００１０】
特許文献１による結束バンドは、セーフティブロックの上方からバンド部を切断すると、電気ケーブルの外面に台座が介在しているので、切断具の刃が電気ケーブルに接触することを防止できる、としている。
【００１１】
又、上記のような不具合を解消するため、複数の電気ケーブルを結束する結束バンドの間に配置されて電気ケーブルの被膜を保護すると共に、電気ケーブル束の外周に沿って湾曲自在な帯板からなり、この帯板は、結束バンドのバンド部を挿通自在な一組の挿通孔を長手方向の両端部に開口したケーブルガードスペーサ付き結束バンドが開示されている（例えば、特許文献２参照）。
【００１２】
特許文献２による結束バンドは、結束バンドのバンド部とケーブルガードスペーサの間に切断具を滑り込ませてバンド部を切断できるので、切断具が電気ケーブルに直接、接触しないので、電気ケーブルの被膜を損傷する心配が無い、としている。
【先行技術文献】
【特許文献】
【００１３】
【特許文献１】特開２００９−１２７９５号公報
【特許文献２】特開２０１１−５０１３９号公報
【発明の概要】
【発明が解決しようとする課題】
【００１４】
しかし、特許文献１による結束バンドは、結束作業の都度、セーフティブロックを結束バンドに組み立てる必要がある。セーフティブロックを結束バンドに組み立てる作業時間が僅かであっても、結束個所が多数ある場合には、これらの組立作業が累積すると、全体として、作業効率を低下させるという問題がある。別部品を組み立てる必要がない簡易な構成であり、被結束体を結束した結束バンドを切断するときに、被結束体を損傷することなく保護する結束バンドが求められている。
【００１５】
特許文献２による結束バンドも、同様である。ケーブルガードスペーサを結束バンドに組み立てる作業時間が僅かであっても、結束個所が多数ある場合には、これらの組立作業が累積すると、全体として、作業効率を低下させるという問題がある。
【００１６】
特に、特許文献２による結束バンドは、電気ケーブル束をバンド部で強く締めた場合には、バンド部とケーブルガードスペーサの間に切断具を滑り込ませることが困難になる心配がある。別部品を組み立てる必要がない簡易な構成であり、被結束体を結束した結束バンドを切断するときに、被結束体を損傷することなく保護する結束バンドが求められている。そして、以上のことが本発明の課題といってよい。
【００１７】
本発明は、このような課題に鑑みてなされたものであり、別部品を組み立てる必要がない簡易な構成であり、被結束体を結束した結束バンドを切断するときに、被結束体を損傷することなく保護する結束バンドを提供することを目的とする。
【課題を解決するための手段】
【００１８】
本発明者らは、結束バンドのバンド部と結束される複数の被結束体との間に配置されるように、ヘッド部からバンド部の延出方向に向けて、被結束体保護用の舌片を突出し、舌片に重なるバンド部の上から切断具で切断すると、被結束体を損傷することなく保護できると考え、これに基づいて、以下のような新たな結束バンドを発明するに至った。
【００１９】
（１）本発明による結束バンドは、末端部が挿入される開口、及びこの開口の内部に配置した係止爪を有するヘッド部、このヘッド部の一端部側から帯状に延び、前記係止爪に噛み合い自在な鋸刃状の係止溝を一方の面に形成したバンド部、及び、このバンド部の末端部側に形成したテール部を有し、前記一方の面を内側にして複数の被結束体を前記バンド部で囲い、前記テール部を先頭に前記バンド部を前記開口に挿入することで、複数の被結束体を結束する結束バンドであって、前記バンド部と結束される複数の前記被結束体との間に配置され、前記ヘッド部から前記バンド部の延出方向に向けて突出した被結束体保護用の帯板状の舌片を備える。
【００２０】
（２）前記バンド部は、前記舌片と所定の間隙を設けるための段差を基端部側に形成していることが好ましい。
【００２１】
（３）前記舌片は、先端縁に向けて板厚を漸次低減した漸減部を先端部側に有していることが好ましい。
【００２２】
（４）本発明による結束バンドは、合成樹脂で一体成形されることが好ましい。
【００２３】
（５）前記被結束体は、芯線を被覆した電気ケーブルを含んでいることが好ましい。
【発明の効果】
【００２４】
本発明による結束バンドは、バンド部と結束される複数の被結束体との間に配置され、ヘッド部からバンド部の延出方向に向けて突出した被結束体保護用の帯板状の舌片を備えているので、舌片に重なるバンド部の上から切断具で切断すると、被結束体を損傷することなく保護できる。
【図面の簡単な説明】
【００２５】
【図１】本発明の一実施形態による結束バンドの構成を示す縦断面図である。
【図２】前記実施形態による結束バンドの構成を示す平面図である。
【図３】前記実施形態による結束バンドで複数の電気ケーブルを束ねた状態を示す横断面図である。
【図４】従来技術の一例による結束バンドの構成を示す縦断面図である。
【図５】従来技術の一例による結束バンドの構成を示す平面図である。
【図６】従来技術の一例による結束バンドの使用状態を示す斜視図である。
【図７】従来技術の一例による結束バンドで複数の電気ケーブルを束ねた状態を示す横断面図である。
【発明を実施するための形態】
【００２６】
以下、図面を参照して本発明を実施するための形態を説明する。なお、被結束体として芯線を被覆した電気ケーブルを実施例に挙げて説明するが、被結束体は、電気ケーブルに限定されない。
［結束バンドの構成］
最初に、本発明の一実施形態による結束バンドの構成を説明する。
【００２７】
図１は、本発明の一実施形態による結束バンドの構成を示す縦断面図である。図２は、前記実施形態による結束バンドの構成を示す平面図である。図３は、前記実施形態による結束バンドで複数の電気ケーブルを束ねた状態を示す横断面図である。
【００２８】
図１から図３を参照すると、本発明の一実施形態による結束バンド１０は、合成樹脂で一体形成されている。結束バンド１０は、四角錐台状のヘッド部１ｈ、帯状のバンド部１ｂ、及びテール部１ｔを備えている。バンド部１ｂは、ヘッド部１ｈの一端部側から帯状に延びている。テール部１ｔは、バンド部１ｂの末端側に形成している。
【００２９】
図１から図３を参照すると、バンド部１ｂは、鋸刃状の係止溝１１ｂを一方の面に形成している。一方、ヘッド部１ｈは、矩形の開口１１ｈと係止爪１１ｎを有している。開口１１ｈには、テール部１ｔを先頭にバンド部１ｂを挿通できる。係止爪１１ｎは、開口１１ｈの内部に突出している。そして、係止爪１１ｎは、開口１１ｈに挿入されたバンド部１ｂの係止溝１１ｂに噛み合うことができる。
【００３０】
図１から図３を参照すると、実施形態による結束バンド１０は、帯板状の舌片１ａを更に備えている。舌片１ａは、バンド部１ｂと結束される複数の電気ケーブルＣとの間に配置されている（図３参照）。又、舌片１ａは、ヘッド部１ｈからバンド部１ｂの延出方向に向けて突出している（図１参照）。
【００３１】
図１を参照すると、バンド部１ｂは、舌片１ａと所定の間隙ｄを設けるための段差１１ｄを基端部側に形成している。これにより、舌片１ａとバンド部１ｂは、離間した状態で配置される。そして、図３に示すように、複数の電気ケーブルＣを結束すると、間隙ｄは小さくなるが、図３の矢印Ａの方向から切断具でバンド部１ｂを切断すると、舌片１ａに刃が当接して、切断の終了を体感できる。
【００３２】
又、図１を参照すると、舌片１ａは、先端縁に向けて板厚を漸次低減した漸減部１１ａを先端部側に有している。これにより、図３に示すように、複数の電気ケーブルＣを結束した状態では、舌片１ａが延在した領域とそれ以外の領域での段差を低減できる。そして、複数の電気ケーブルＣとの密着性を向上できる。
【００３３】
［結束バンドの作用］
次に、実施形態による結束バンド１０の操作方法を説明しながら、結束バンド１０の作用及び効果を説明する。
【００３４】
図１から図３を参照して、複数の電気ケーブルＣを束ねて、これらの電気ケーブルＣの周囲を舌片１ａ及び係止溝１１ｂが内側になるように、バンド部１ｂで囲む。次に、テール部１ｔを先頭にバンド部１ｂをヘッド部１ｈに挿入して、バンド部１ｂのループが縮径するように、ヘッド部１ｈに対してテール部１ｔを引っ張ることで、複数の電気ケーブルＣを結束できる。次に、図３に示すように、ヘッド部１ｈから飛び出した余長部分をニッパなどの切断具で切断することで、一連の結束作業を終了する。
【００３５】
図１から図３を参照して、バンド部１ｂをヘッド部１ｈに挿入すると、係止溝１１ｂが係止爪１１ｎに噛み合って戻り止めされる。実施形態による結束バンド１０は、再結束することが困難に構成されている。したがって、配線に変更がある場合には、図３に示すように、バンド部１ｂをニッパなどの切断具で切断し、複数の電気ケーブルＣの結束を解除できる。
【００３６】
図１から図３を参照すると、実施形態による結束バンド１０は、バンド部１ｂと結束される複数の電気ケーブルＣとの間に配置され、ヘッド部１ｈからバンド部１ｂの延出方向に向けて突出した帯板状の舌片１ａを備えているので、舌片１ａに重なるバンド部１ｂの上から切断具で切断すると、電気ケーブルＣを損傷することなく保護できる。又、切断個所を特定できるので、作業効率を向上できる。
【００３７】
又、図１を参照すると、実施形態による結束バンド１０は、舌片１ａと所定の間隙ｄを設けるための段差１１ｄをバンド部１ｂの基端部側に形成している。したがって、図３の矢印Ａの方向から切断具でバンド部１ｂを切断すると、舌片１ａに刃が当接して、切断の終了を体感できる。
【００３８】
更に、図１を参照すると、実施形態による結束バンド１０は、先端縁に向けて板厚を漸次低減した漸減部１１ａをバンド部１ｂの先端部側に有している。これにより、複数の電気ケーブルＣを結束した状態では、段差を低減でき、複数の電気ケーブルＣとの密着性を向上できる（図３参照）。
【００３９】
実施形態による結束バンド１０は、電気ケーブル保護用の舌片１ａを一体成形しているので、従来技術のように、結束時に、別部品を組み立てる必要がないというメリットがある。そして、実施形態による結束バンド１０は、結線時の作業を効率化できる。
【００４０】
本発明による結束バンドは、以下の効果を期待できる。
（１）配線変更などで結束バンドを切断するときに、電気ケーブルの被覆を損傷する心配が無くなる。又、電気ケーブルの損傷に起因した地絡を低減できる。
（２）従来技術による切断時保護用の結束バンドと比べて、結線時の作業を効率化できる。
（３）合成樹脂で一体成形しているので、製造原価を低減できる。
【符号の説明】
【００４１】
１ａ  舌片
１ｂ  バンド部
１ｈ  ヘッド部
１ｔ  テール部
１０  結束バンド
１１ｂ  係止溝
１１ｈ  開口
１１ｎ  係止爪
Ｃ  電気ケーブル（被締結体）
【図１】
0006464705.tif 000002
【図２】
0006464705.tif 000003
【図３】
0006464705.tif 000004
【図４】
0006464705.tif 000005
【図５】
0006464705.tif 000006
【図６】
0006464705.tif 000007
【図７】
0006464705.tif 000008